(57)【特許請求の範囲】
【請求項１】
ベルトの長さを調整するベルトの長さ調整構造であって、パックルを取着した首ベルトの端部とベルト本体の端部を、両端部に挿通したサルカンを介して、裏面側より前記両端部の表面に突出しない長さの止めねじによるねじ止め手段にて取外し可能に接続してなり、
前記パックルに取着した二重の首ベルトの表側の首ベルトの端部が前記ベルト本体の接続側とされ、裏側の首ベルトの端部が前記止めねじの露出部分を被う状態にされてなることを特徴としたベルトの長さ調整構造。
【請求項２】
ねじ止め手段の止めねじが、サルカンの裏面側より首ベルトの端部とベルト本体の端部に対してされていることを特徴とした請求項１に記載のベルトの長さ調整構造。
【請求項３】
ベルトの長さを調整するベルトの長さ調整構造であって、パックルに取着した二重の首ベルトの表側の首ベルトの端部とベルト本体の端部を、両端部に挿通したサルカンを介して近接状に配置し、表側の首ベルトの端部がサルカン裏面に重ねられ、サルカン裏面側および重ねた首ベルト側より前記両端部を、該両端部の表面に突出しない長さの止めねじによるねじ止め手段にて取外し可能に接続してなることを特徴としたベルトの長さ調整構造。
【発明の詳細な説明】
【０００１】
【発明の属する技術分野】
この発明は、ベルト（腰バンド）の長さ調整構造に関し、詳しくは外観状は長さの調整ができない、いわゆる固定サイズのベルトに見えて、実際にはフリ−サイズのベルトとしてベルトの長さを調整することのできるベルトの長さ調整構造に係わるものである。
【０００２】
【従来の技術】
従来のフリ−サイズのベルトの長さ調整は、たとえば図１０に示すように、サイドフリ−41と云われる開閉可能な接続金具による調整構造、あるいは図１３に示すように、止めボルト61と筒状ナット62とのスクリュ−式止めピン63による調整構造がよく知られている。
【０００３】
前記したサイドフリ−41のものは、図１０に示すように、基板42の後端に締付け板43が開閉可能に形成されている。すなわち、図１０に示すように、基板42は前端に取付け片44を有し、上下の両曲げ片45の後端部にはノコ歯状曲げ片43A を有する締付け板43が枢着48されて開閉可能とされている。基板42に対し締付け板43を十分に開いた場合は、図１１に示すように、ノコ歯状曲げ片43A と基板42間にベルト本体49の挿入隙間50が形成される。締付け板43を基板42に閉じた場合はノコ歯状曲げ片43A が挿入隙間50を閉じて挿通したベルト本体49の端部を固定するようにされている。パックル51（一般に、美錠ともいわれる。）を取付けた首ベルト52は基板42の取付け片44により前端部に固定され、基板42とパックル51が取付けられた状態とされる。次いで基板42にサルカン53を通した後、基板42と締付け板43の挿入隙間50よりベルト本体49の接続側を挿入し、かつサルカン53の輪内に挿入させた後、締付け板43を回動させて基板42に重ねると、締付け板43のノコ歯状曲げ片43A によって、ベルト本体49が基板42に固定されかつサルカン11が封じ込み状態で固定される（図１２に示す正面図参照）。なお、締付け板43および基板42には通常、ベルト本体49と同色の薄皮が被着される（図示せず。）。
【０００４】
そして、前記したスクリュ−式止めピン63によるものは、図１３に示すように、パックル64を挿通させた首ベルト65間に、サルカン66およびベルト本体67の接続側を挿入配置した後、各止め孔68の位置を合せ、止めボルト61と筒状ナット62により止着された構造よりなる。（図１４の止着状態正面図参照。）なお62A は筒状ナット62の頭部である。
前記したサイドフリ−41あるいはスクリュ−式止めピン63による長さ調整構造はベルトを適宜に長さ調整できる点では便利である。
【０００５】
【発明が解決しようとする課題】
しかしながら、前記したサイドフリ−41による長さ調整構造は横からサイドフリ−41が見えるので外観上の見栄えが良くない。また、サイドフリ−41の接続金具は加工が面倒である。
他方、前記したスクリュ−式止めピン63による長さ調整構造は、筒状ナット62の頭部62A が外部から見える飾りとされていて、使用した際に、フリ−サイズのベルトであることが直ぐにわかる。サイズ直しの場合、止めピン用の止め孔68があけられるが、間違った場合には修正ができず、また、止めボルト61と筒状ナット62のはめ込みがしにくい不都合がある。なお、ベルトはベルトの長さが使用者に合えば、固定式のものが通常好まれている。
【０００６】
そこで、本発明の課題は、前記したサイドフリ−41あるいはスクリュ−式止めピン63による長さ調整構造における従来の不都合を解決せんとしたものであって、外観上は固定サイズのベルトに見え、実際にはベルトの長さの調整ができ、複雑な接続金具は不要とした、ベルトの長さ調整構造を提供することにある。
【０００７】
【課題を解決するための手段】
前記課題を達成するために、請求項１の発明のベルトの長さ調整構造は、ベルトの長さを調整するベルトの長さ調整構造であって、パックルを取着した首ベルトの端部とベルト本体の端部を、両端部に挿通したサルカンを介して、裏面側より前記両端部の表面に突出しない長さの止めねじによるねじ止め手段にて取外し可能に接続してなり、前記パックルに取着した二重の首ベルトの表側の首ベルトの端部が前記ベルト本体の接続側とされ、裏側の首ベルトの端部が前記止めねじの露出部分を被う状態にされてなることを特徴とする。
【０００８】
この請求項１においては、パックルの付いた首ベルトとベルト本体の接続がサルカンを介してねじ止め手段にてされている。ねじ止め手段は使用時には見えない裏面側よりされている。このねじ止め手段は取外し可能であり、必要時には長さ調整のためにベルト本体を外すことができる。
さらに、ねじ止め手段が首ベルトにて被われているので、使用しない状態のベルトの裏面からもねじ止め部分が見えない。
【０００９】
前記課題を達成するために、請求項２の発明は請求項１のベルトの長さ調整構造においてねじ止め手段の止めねじが、サルカンの裏面側より首ベルトの端部とベルト本体の端部に対してされていることを特徴とする。
【００１０】
この請求項２においては、パックルの付いた首ベルトとベルト本体の接続はサルカンの裏面より、首ベルトとベルト本体の各端部にねじ止めすることによりされている。ベルト本体の接続側のねじを外せばベルト本体を外すことができる。
【００１３】
前記課題を達成するための、請求項３の発明のベルトの長さ調整構造は、ベルトの長さを調整するベルトの長さ調整構造であって、パックルに取着した二重の首ベルトの表側の首ベルトの端部とベルト本体の端部を、両端部に挿通したサルカンを介して近接状に配置し、表側の首ベルトの端部がサルカン裏面に重ねられ、サルカン裏面側および重ねた首ベルト側より前記両端部を、該両端部の表面に突出しない長さの止めねじによるねじ止め手段にて取外し可能に接続したことを特徴とする。
【００１４】
パックルを付けた一方の首ベルトの端部と、ベルト本体の端部はサルカンの輪内においてサルカン裏面よりねじ止めされる。他方の首ベルトはサルカン裏面に重ねられ、重ねた首ベルト側よりねじ止めされる。首ベルトとベルト本体の各端部は、サルカン側と重ねた首ベルト側からねじ止めされて接続される。重ねた首ベルトのねじの頭部はベルトの裏面から見える。
【００１７】
【発明の実施の形態】
次に、本発明の第１の実施の形態を図１〜図６に基づいて説明する。
図６はこの実施の形態のベルト１を示す。このベルト１は長さ調整構造２を備え、図２に示す構成部品にて形成されている。ベルト１はパックル３の止め軸3Aに取付ける首ベルト５と、首ベルト５を、止め軸3Aに抜止め状に固定するひも体18と、パックル３を取付けた首ベルト５の一端部に接続するベルト本体15と、ベルト１のパックル３側に挿通固定してベルト１の挿入部分を差し込んで保持するサルカン11と、ベルト本体15を首ベルト５に接続する止めねじ19，20とよりなる。
【００１８】
前記した首ベルト５およびベルト本体15は、皮革よりなり、パックル３の挿通孔3Bの幅を挿通可能でかつ挿通孔3Bの幅とほぼ等しい一定幅とされ、一般の使用者に適するように充分な長さにされている。首ベルト５は一方にパックル３を取付け、他方にサルカン11を取付け得る程度の短い長さとされている。サルカン11は皮革の帯を止め金12で輪状に止め着して形成されている。
【００１９】
首ベルト５はパックル３の止め軸3Aに挿通し折返して重ねてパックル３を固定するため、図２に示すように、中央部にはパックル３のピン４を差し込む長孔６とひも体18にて固定するためのひも孔7A，7B，８が貫設されている。なお、長孔６は折返した裏側の首ベルト５部分が長くなる位置に設けられている。
【００２０】
首ベルト５のベルト本体15に接続する側（表側）の端部10は表面側を突出状に残し、内側の肉厚部分を除去した薄肉部９が形成され、この接続側の端面10A は薄肉部９に被われた状態にある。
首ベルト５の薄肉部９に対応するベルト本体15の接続側の端部16すなわち端面16A は首ベルト５の端面10A と当接可能にされている。なお、ベルト本体15のパックル３に挿通させる他端側にはパックル３のピン４を差し込むピン孔15A が適数個貫設されている（図６参照）。
前記止めねじ19，20はいずれもドライバ−にてねじ込み可能な頭部を有するものを用いる。両止めねじ19，20はサルカン11裏面より首ベルト５およびベルト本体15の端部10，16にねじ込んだ際にねじ込んだ先端が表側に突出しない長さのものが用いられる。
【００２１】
しかして、各構成部品は次の要領にて組付けて長さ調整構造２を備えたベルト１が形成される。表向きにしたパックル３に対し、表向きの首ベルト５を接近させ、パックル３のピン４を長孔６より突出させるとともに首ベルト５の両端側を止め軸3Aを被うようにパックル３の挿通部3Bに各々挿入する（図３裏面図参照）。
【００２２】
次いで、首ベルト５の接続側の端部10にサルカン11を挿入し（図３の仮想線参照）、適宜手段で保持（接着する場合もある。）した後、図３に示すように、ベルト本体15の接続側の端部10をサルカン11の輪内に入れ、薄肉部９の裏面側において首ベルト５の端面10A とベルト本体15の端面16A とを当接させる。しかる後、サルカン11の裏面側より首ベルト５の端部10に止めねじ20をドライバ−にてねじ込み、また、ベルト本体15の端部16に止めねじ19を各々ねじ込んで図４に示すように、首ベルト５の端部10とベルト本体15の端部16を接続する。
【００２３】
そして、折返した裏側の首ベルト５の自由端側（パックルにより遠い側）のひも孔８，８にひも体18を挿し、ひも体18の長さの中央付近で外側に輪状部18A を作り、挿通したひも体18の左右の長さを同じ程度にする。各ひも体18は裏側の首ベルト５の裏側より止め軸3A側の裏側の首ベルト５のひも孔８に裏側より表側に通し、重ね合せた首ベルト５の両側部を経て、表側のひも孔17B より裏側の首ベルト５のひも孔7Aを経て裏面側に引き出す。他方側のひも体18も同要領でかつ上下対照に操作する。
【００２４】
裏面側に引き出した両ひも体18は裏側の首ベルト５の前記輪状部18A に挿通し、ひも体18を順次引っ張り、ひも体18を締めて折重ねた首ベルト５部分を充分に重ねる。首ベルト５の折重ね側（裏側）はサルカン11の止めねじ19，20の頭部が見えない、サルカン11の裏面を被った状態となる。
かくして、本実施の形態の長さ調整構造２を備えたベルトが形成される。
【００２５】
このベルト１の長さ調整構造２は首ベルト５の端部10とベルト本体15の端部16をサルカン11を介して止めねじ19，20にて接続してあるが、止めねじ19，20のねじ止めはサルカン11の裏面側であり、かつ首ベルト５の折返し部分にて被ってあるので、外部からは接続部分は見えず、都合がよい。なお、表側の接続部分はサルカン11の輪内であるため外部から見えない。
【００２６】
しかして、このベルト１を長さ調整する場合は、首ベルト５の折返し部分をまくり上げ、ベルト本体15を止めている止めねじ19，19をドライバ−にて外すことにより、パックル３およびサルカン11の付いた首ベルト５部分と、ベルト本体15とを分離することができる。したがって、分離したベルト本体15の接続側の端部16の所定長をカッタ等にて切り取ることにより、ベルト本体15の長さを、使用者に適する長さに短かくすることができる。
【００２７】
短かくしたベルト本体15は首ベルト５と同じ表面を向くように配置し、首ベルト５の薄肉部９裏面とサルカン11裏面内側間に挿入し、首ベルト５接続側の端面10A とベルト本体15の端面16A を当接させた後、サルカン11の裏面側よりベルト本体15の端部16に止めねじ19をドライバ−にてねじ込んでベルト本体15を首ベルト５に接続することができる。
【００２８】
次に、本発明の第２の実施の形態を図７〜図９に基づいて説明する。図７に示されるように、この実施の形態のベルト21はパックル23を付けた首ベルト５の接続側の端部10とベルト本体15の接続側の端部16をサルカン11を介して止めねじ19，20にて接続する点については前記した実施の形態と同様である。従って、第１の実施の形態と同じ部品については第１の実施の形態と同じ符号を用い、それらの説明は省略する。
【００２９】
なお、この第２の実施形態に用いる止めねじ19，20はサルカン11裏面よりベルト本体15の端部にねじ込む短いものと、首ベルト５の折返し側よりサルカン11を介してベルト本体15の端部16にねじ込む長いものが用いられるが、いずれの止めねじ19，20も充分にねじ込んだ際に表面にねじ込んだ先端が突出しない長さのものが使用される。
【００３０】
この第２の実施形態においては図７に示すように、パックル23の止め軸となる取付け部23A 内側の挿通部3Bに挿通し折返した外側の首ベルト５の接続側にサルカン11を挿通し適宜に固定（接着の場合もある。）した後、ベルト本体15の接続側の端部16を薄肉部９の内側において当接させ、サルカン11の裏面より止めねじ19にてねじ止めする。
【００３１】
次いでサルカン11の裏面を折返した裏側の首ベルト５にて被い、被った首ベルト５の裏面よりサルカン11を介してベルト本体15の端部16に止めねじ20をドライバ−にてねじ込み、パックル23の付いた首ベルト５とベルト本体15が接続される。
しかる後、パックル23を挟んで折返した二重の首ベルト５のひも孔７，８にひも体18を挿入し二重にした首ベルト５部分を締付けて固定する。
【００３２】
この第２の実施の形態では図８，図９に示すように、ひも体18は折返した裏面側の首ベルト５のサルカン11側の両ひも孔７，７にひも体18を中央部分まで挿通して外側に輪状部18A を形成した後、首ベルト５の表側において、パックル23側のひも孔８，８に×状にひも体18を通し、折返した首ベルト５側に引出した両ひも体18を前記輪状部18A に挿した後、両ひも体18を引張り、首ベルト５の二重部分を締付けて固定する。なお、ひも体18の先端側11は孔部あるいは切込みを付けた革などの飾り板24に止め着してある。
【００３３】
かくして、ベルト21の長さ調整構造22が形成される。この長さ調整構造22は折返した首ベルト５部分に止めピン20の頭部が露出しているが、使用時にはかくれるため、外部からは接続部分が見えず、固定サイズのベルト１と同様の外観をなす。
【００３４】
首ベルト５およびベルト本体15の両端部10，16をサルカン11を介して接続（第１の実施の形態）、あるいはサルカン11と首ベルト５の折返し部分を介して接続（第２の実施の形態）するためのねじ止めは前記した第１，第２の実施の形態に限るものではなく、第１，第２の実施の形態において各々接続側の両端部10，16が取外し可能にねじ止めの位置を変更することができる。また、止めねじの数も第１，第２の実施の形態に限るものではない。
【００３５】
パックル３，23を固定するための折重ねた首ベルト５のひも体18による締付け方法は前記した第１，第２の実施の形態に限るものではなく、パックル３，23を固定し得る適宜な締付け方法を採用することができる。
止めねじ19，20によるねじ止めはサルカン11の裏面、あるいは折返した首ベルト５部分からのねじ止めにより首ベルト５及びベルト本体15の取外し可能な接続をなし得るねじ止め手段を採用することができる。
【００３６】
ねじ止め手段にはドライバ−などの工具あるいはその相当物にてねじ止めし得る各種の止めねじが使用される。なお、ねじ止め手段に用いる止めねじはサルカンの裏面、あるいは首ベルトの折返し部分よりねじ止めした際に表側の首ベルト５あるいは表側のベルト本体15に止めねじの先端が突出しない長さのものが用いられる。
【００３７】
首ベルト５およびベルト本体15は皮革あるいは軟質の合成樹脂などのベルト素材として適し、かつ止めねじ19，20にて直接のねじ止めが可能な材質を用いることができる。首ベルト５およびベルト本体15は同材質が好ましいが、デザイン上、材質の異るものであってもよい。
【００３８】
【発明の効果】
請求項１〜請求項３の発明によれば、パックルを付けた首ベルトとベルト本体の両端部にはサルカンを介して裏面側よりねじ止めして接続したため、表側の外部からはねじが見えず、外観上には固定サイズのベルトに見え、実際にはベルト本体を取外して長さ調整することができる。また、この請求項１〜請求項３の発明はねじ止め手段にて接続するので、複雑な接続金具を必要とせず都合がよい。
【００３９】
請求項１の発明によれば、ねじ止め部分を一方の首ベルトで被った状態としたため、使用しない状態においてねじ止め部分が外部より見えず、見栄えがよい。
【００４０】
請求項２の発明によれば、ベルト本体の接続側の止めねじを外すことによりベルト本体を簡単に外し得るので、ベルトの長さ調整がし易い。
【００４１】
請求項３の発明によれば、サルカン裏面のねじ止めと、これを被う首ベルト裏面のねじ止めとにより接続されるので、強固に接続される。
【図面の簡単な説明】
【図１】本発明の第１の実施の形態におけるベルトの長さ調整構造を示す断面図である。
【図２】第１の実施の形態におけるベルトの長さ調整構造を構成する部品図である。
【図３】ベルトの長さ調整構造を構成するための組付け工程図である。
【図４】ベルトの長さ調整構造におけるねじ止め部を示すベルト裏面図である。
【図５】ベルトの長さ調整構造の裏面図である。
【図６】ベルトの長さ調整構造の正面図である。
【図７】本発明の第２の実施の形態におけるベルトの長さ調整構造を示す断面図である。
【図８】ベルトの長さ調整構造の裏面図である。
【図９】ベルトの長さ調整構造の正面図である。
【図１０】従来のサイドフリ−接続金具の斜視図である。
【図１１】図１０のX1−X1線における断面図である。
【図１２】従来のサイドフリ−接続金具を適用したベルトの正面図である。
【図１３】従来のスクリュ−式止めピンによる調整構造を適用したベルトの断面図である。
【図１４】従来のスクリュ−式止めピンを適用したベルトの正面図である。
【符号の説明】
１，21…ベルト
２，22…長さ調整構造
３，23…パックル
５…首ベルト
９…薄肉部
10，16…端部
11…サルカン
15…ベルト本体
18…ひも体
19，20…止めねじ
【図１】
0003805838.tif 000002
【図２】
0003805838.tif 000003
【図３】
0003805838.tif 000004
【図４】
0003805838.tif 000005
【図５】
0003805838.tif 000006
【図６】
0003805838.tif 000007
【図７】
0003805838.tif 000008
【図８】
0003805838.tif 000009
【図９】
0003805838.tif 000010
【図１０】
0003805838.tif 000011
【図１１】
0003805838.tif 000012
【図１２】
0003805838.tif 000013
【図１３】
0003805838.tif 000014
【図１４】
0003805838.tif 000015